(57)【特許請求の範囲】
【請求項１】
放射線実験施設内に設置され、放射線を使用して生化学実験を行う実験作業装置であるフードにおいて、
上記フードの作業台上に放射性廃棄物処理装置を組み込み載置すると共に、上記放射性廃棄物処理装置の駆動用電源設備を上記フードの電源装置と接続させ、上記放射性廃棄物処理装置の冷却水供給設備を上記フードの給水装置と接続させ、上記放射性廃棄物処理装置のガス供給設備を上記フードの給ガス装置と接続させ、上記放射性廃棄物処理装置の排気設備を上記フード排気口と接続させ、上記放射性廃棄物処理装置の排水設備をドレン水処理装置と接続させ、上記フードは、放射線を使用して生化学実験を行う実験作業装置とすると共に、放射性廃棄物の廃棄作業領域とすることを特徴とする放射性廃棄物処理用フード。
【請求項２】
放射性廃棄物処理装置は放射性有機廃液の焼却装置であり、放射性廃棄物の廃棄作業領域は放射性有機廃液の焼却作業領域とされることを特徴とする請求項１記載の放射性廃棄物処理用フード。
【発明の詳細な説明】
【０００１】
【発明の属する技術分野】
この発明は、液体シンチレーション測定などの生化学実験研究を行う放射線実験施設において、放射性廃棄物の廃棄作業領域を著しく少スペース化するのに好適な放射性廃棄物処理用フードに関するものである。
【０００２】
【従来の技術】
周知のように、生化学実験研究において液体シンチレーション測定は必要不可欠であるが、この液体シンチレーション測定では、測定に使用した試料が放射性有機廃液として発生される。
【０００３】
発生された放射性有機廃液は、一般的に毒性があり、引火性の液体として消防法で規制されている。そのため、できるだけ早く焼却処理を行う必要があり、様々なタイプの放射性有機廃液焼却装置が従来より多数提案されている。一般的にこの種の有機廃液焼却装置は、処理速度約２リットル／ｈ前後で人丈程の大型の装置であった。
【０００４】
この放射性有機廃液の焼却装置を設置する場合には、施設には、出入り管理システムを有する出入り口を設けると共に、シャワー室，更衣室，流し台などを設けた汚染検査室のある廃棄作業室内に設置するよう放射性障害防止法で定められている。
【０００５】
図４に示すように、この廃棄作業室１０は放射線実験施設の外部に設けられる場合と、図５に示すように、施設の内部に設けられる場合とがある。いずれにしても放射線実験施設としては、図４，図５に示すように、施設への出入り口１と汚染検査室２が必ず設けられた上で、実験室３、測定検査室４、実習室５、空調室６、貯蔵室７、機械管理室９など必要な各室が設けられる。
【０００６】
詳細な説明は省略をするが、これらの各室には、例えば出入り口１には出入り管理システムが付設され、汚染検査室２にはシャワー室，更衣室，流し台など、実験室３には実験台，作業台，標本整理器，フリーザー，動物飼育フード，動物凍結乾燥機，ミクロトームなど、測定検査室４には液体シンチレーター測定装置など、実習室５には標本整理器，収納ケースなどのように必要な機器類が設けられる。
【０００７】
ところで、施設内の各室には必要な器機類と共に、図６に例示したようなフードと称される実検作業装置１１が適宜設置される。このフード１１は、放射性医薬品や放射性同位元素（ＲＩ）の取り扱い作業時において、放射性医薬品やＲＩなどが室内へ飛散するのを防止し、作業者の安全を確保して実験作業を行わせるものである。
【０００８】
したがって、その背面側を室内に壁面と対向するように配置され、作業者はフード１１の前面側に腰掛け、フード１１の前面に配置されている引き上げ引き下げの可能な開口窓１１ａ（ガラス）を手が入る程度に開け、両手をフード１１の中に入れて各種の実験や作業を行う。
【０００９】
図７に示すように、フード１１の内部にはフード１１の中で各種の実験や作業が行えるように、天板側に排気口１１ｃ，照明灯１１ｄが設けられ、その下方側に作業台１１ｅが設置され、また、給水装置１１ｆ，給ガス装置１１ｇ，ドレン水処理装置１１ｈなどが設備されている。なお、１１ｂは通風口である。
【００１０】
【発明が解決しようとする課題】
ところで、近年は技術手段の急速な進歩により、液体シンチレーター測定装置においても少量で多サンプルの試料を、一度で測定することができるプレート型測定器などが提案されてきており、液体シンチレーターの量を少なくする努力がなされてきている。このため、従来のように一日に多量の放射性有機廃液が発生することがなくなり、放射性有機廃液焼却装置における一日の処理量も少なくて済むようになってきている。
【００１１】
また、図４のように、廃棄作業室１０を施設と別棟として建造する場合には、出入り管理システムを有する出入り口１とシャワー室，更衣室，流し台などを有する汚染検査室２を二重に建造しなければならないという無駄がある。また、図５のように、施設内に廃棄作業室１０を建造する場合には、汚染検査室２の二重の建造は省けるものの、大型の放射性有機廃液焼却装置１２を設置する廃棄作業室１０としての１室を確保しなければならない。
【００１２】
したがって、発明者は上記したような技術環境の変化を鑑み、新たな放射性有機廃液焼却装置と放射線実験施設の着想を図り、従来では想定し得ない少スペースの放射性廃棄物の廃棄作業領域に関して鋭意研究を行った。
【００１３】
この発明は、このような事情に基づいてなされたものであり、液体シンチレーション測定を行う生化学実験研究などの放射線実験施設において、放射性廃棄物の廃棄作業領域を著しく少スペース化するのに好適な放射性廃棄物処理用フードの提供を目的とする。
【００１４】
【課題を解決するための手段】
この発明は、上記のような目的を違成するために、請求項１記載のように、放射線実験施設内に設置され、放射線を使用して生化学実験を行う実験作業装置であるフードにおいて、上記フードの作業台上に放射性廃棄物処理装置を組み込み載置すると共に、上記放射性廃棄物処理装置の駆動用電源設備を上記フードの電源装置と接続させ、上記放射性廃棄物処理装置の冷却水供給設備を上記フードの給水装置と接続させ、上記放射性廃棄物処理装置のガス供給設備を上記フードの給ガス装置と接続させ、上記放射性廃棄物処理装置の排気設備を上記フード排気口と接続させ、上記放射性廃棄物処理装置の排水設備をドレン水処理装置と接続させ、上記フードは、放射線を使用して生化学実験を行う実験作業装置とすると共に、放射性廃棄物の廃棄作業領域とすることを特徴とし、また、請求項２記載のように、放射性廃棄物処理装置は放射性有機廃液の焼却装置であり、放射性廃棄物の廃棄作業領域は放射性有機廃液の焼却作業領域とされることを特徴とする。
【００１５】
また、請求項２記載のように、放射性廃液処理装置は放射性有機廃液の焼却装置であり、廃棄作業領域は放射性有機廃液の焼却作業領域とされることを特徴とする。
【００１６】
【発明の実施の形態】
以下、この発明の実施例を図面に基づき詳細に説明する。図１は、この発明に係る放射性廃棄物処理用フードを示す正面図であり、図２は、図の内部を示す説明用断面図である。なお、従来と同一部材については同一の符号で説明をする。
【００１７】
図３に示すように、この放射線実験施設は生化学実験研究などを行う施設であり、施設の出入り口１には、出入り管理システム（図示略）が設けられ、この出入り口１を通過した施設内には、符号の説明は省略をするがシャワー室，更衣室，流し台などを有する汚染検査室２が設けられている。
【００１８】
そして、汚染検査室２を通過した施設内には、上記と同様に符号の説明は省略をするが、実験台，作業台，標本整理器，動物飼育フード，動物凍結乾燥機，ミクロトームなどを有する実験室３、実験台，液体シンチレーター測定装置などを有する測定検査室４、標本整理器，収納ケースなどを有する実習室５、施設全体の空調を図る空調室６、冷蔵庫，貯蔵庫などを有する貯蔵室７、暗室８、機械管理室９などが設けられている。
【００１９】
次に、放射線有機廃液の廃棄作業室を構成するフードについて説明をする。すなわち、施設内の各部屋にはフード１１が適宜設置されている。このフード１１は、放射性医薬品や放射性同位元素（ＲＩ）の取り扱い作業時において、放射性医薬品やＲＩなどの室内への飛散を防止し、作業者の安全を確保する実験作業装置である。
【００２０】
実験作業装置としてのフード１１は、その背面を室内に壁面に付けて配置され、作業者はフード前面に腰掛け、フード前面に配置されている引き上げ引き下げの可能な開口窓１１ａ（ガラス）を手が入る程度に開け、両手をフード１１の中に入れて各種の実験や作業を行う。
【００２１】
フード１１の内部は、図２に示すように、フード１１の中で各種の実験や作業が行えるように、天板側に排気口１１ｃ，照明灯１１ｄが設けられ、その下方側に作業台１１ｅが設置され、また、給水装置１１ｆ，給ガス装置１１ｇ，ドレン水処理装置１１ｈなどが設備されている。１１ｂは通風口である。
【００２２】
次に、フード１１に組み込まれる放射性有機廃液焼却装置について説明をする。まず、放射性有機廃液焼却装置３０の外形は、フード１１の作業台１１ｅに設置されフード１１内の作業スペースに収まるように小型化されている。この放射性有機廃液焼却装置３０を駆動するのに必要な外部装置との接続設備としては、駆動用の電源設備３２、排気ガスを浄化・冷却する冷却水供給設備３３、助燃ガスのガス供給設備３４、排気ガスを処理する排気設備３０ａ、冷却水・ドレン水を処理する排水設備（図示略）などが必要になる。
【００２３】
これらの各設備は、フード１１に既設されている排気口１１ｃ、給水装置１１ｆ、給ガス装置１１ｇ、ドレン水処理装置１１ｈ、電源装置（図示略）などと接続される。すなわち、図１，図２に示すように放射性有機廃液焼却装置３０の駆動用の電源設備３２はフード１１の電源装置と接続し、放射性有機廃液焼却装置３０の冷却水供給設備３３はフード１１の給水装置１１ｆと接続し、放射性有機廃液焼却装置３０のガス供給設備３４はフード１１の給ガス装置１１ｇと接続し、放射性有機廃液焼却装置３０の排気設備３０ａはフード１１の排気口１１ｃと接続し、放射性有機廃液焼却装置３０の排水設備はフード１１のドレン水処理装置１１ｈと接続する。
【００２４】
なお、３０ｂは放射性有機廃液焼却装置３０の扉であり、３０ｃは計器類である。また、放射性有機廃液焼却装置３０の内部機構は、例えば本願出願人の出願に係る特開平８−１４６１９３号公報に開示された放射性有機廃液の焼却装置のような構成などとされる。
【００２５】
このように、この実施例によれば、放射線実験施設内における所望の部屋のフード１１に、小型の放射性有機廃液焼却装置３０を組み込むように構成し、この放射性有機廃液焼却装置３０における駆動用電源設備３２をフード１１の電源装置に接続し、冷却水供給設備を給水装置１１ｆと接続し、ガス供給設備３４を給ガス装置１１ｇと接続し、排気設備３０ａを排気口１１ｃと接続し、排水設備をドレン水処理装置１１ｈなどと接続し、係る構成とされたフード１１を放射性有機廃液の焼却処理作業領域２０とする（図３参照）。
【００２６】
したがって、従来のように出入り管理システムを有する出入り口１や、シャワー室，更衣室，流し台などを有する汚染検査室２のある廃棄作業室１０を、放射線実験施設と別棟で二重に建造する必要がなくなり、著しく施設の簡素化を図りコストの低減化を図ることができる。
【００２７】
また、この実施例では、実験施設内に廃棄作業室１０を設置するのであるが、その場合でも従来のように特別に１つの広いスペースの廃棄作業室を設ける必要がなく、施設内に適宜設置されている所望のフード１１に小型の放射性有機廃液焼却装置３０を組み込み、このフード１１を放射性有機廃液の焼却処理作業領域２０とするため、著しく施設の簡素化を図りコストの低減化を図ることができる。
【００２８】
なお、上記の実施例で放射性廃棄処理装置は放射性有機廃液の焼却装置として説明し、放射性廃棄物の廃棄作業領域は放射性有機廃液の焼却処理作業領域として説明したが、これに限定されることはない。
【００２９】
【発明の効果】
以上説明したように、請求項１記載の発明によれば、放射性廃棄物の廃棄作業領域を必要箇所に設置されるフードに小型の放射性廃棄物処理装置を組み込んだので、液体シンチレーション測定ようのな生化学実験を研究を行う場合でもこのフードを放射性廃棄物の廃棄作業領域とし、著しく少スペース化することができると共に、施設の簡素化を図りコストの低減化を図ることができる。
また、請求項２記載の発明によれば、上記のような効果と共に、放射性廃棄物の廃棄作業領域は放射性有機廃液の焼却処理作業領域として創出することができる。
【図面の簡単な説明】
【図１】この発明に係る放射性廃棄物処理用フードを示す正面図である。
【図２】図１の内部を示す説明用断面図である。
【図３】この発明に係る放射線実験施設の施設構造の１例を示す説明図である。
【図４】従来の放射線実験施設の施設構造の１例を示す説明図である。
【図５】従来の放射線実験施設の施設構造の１例を示す説明図である。
【図６】従来のフードを示す正面図である。
【図７】図６の内部を示す説明用断面図である。
【符号の説明】
２      汚染検査室
１１    フード
２０    放射性廃棄物の廃棄作業領域
３０    放射性廃棄処理装置
【図１】
0004203620.tif 000002
【図２】
0004203620.tif 000003
【図３】
0004203620.tif 000004
【図４】
0004203620.tif 000005
【図５】
0004203620.tif 000006
【図６】
0004203620.tif 000007
【図７】
0004203620.tif 000008